(57)【要約】【課題】極めて簡単な構造で、しかも弁座自体の強度を著しく補強することなく、男性が立って洋式便器に小便するときに、楽に体を支えて漏れない姿勢で小便できるようにする。【解決手段】洋式便器は、前述の目的を達成するために以下の構成を備える。洋式便器は、便器本体１と、この便器本体１に傾動できるように装着している弁座２と、この弁座２の上面に傾動できるように便器本体１に連結している上蓋３とを備える。さらに、洋式便器は、弁座２と上蓋３を立てる姿勢で停止させるストッパ機構４を備えると共に、弁座２の前端部であって立てる姿勢では最上部となる弁座前端部１１に、弁座２を立てて便器本体１に小便をする状態で、手でもって体を支えるグリップ部１２を設けている。洋式便器は、このグリップ部１２を手でもって体を支える状態で、便器本体１に小便をするようにしている。【選択図】図２
2006043098.tif 000002
【特許請求の範囲】
【請求項１】
便器本体(1)と、この便器本体(1)に傾動できるように装着している弁座(2)と、この弁座(2)の上面に傾動できるように便器本体(1)に連結している上蓋(3)とを備える洋式便器であって、
弁座(2)と上蓋(3)を立てる姿勢で停止させるストッパ機構(4)を備えると共に、弁座(2)の前端部であって立てる姿勢では最上部となる弁座前端部(11)に、弁座(2)を立てて便器本体(1)に小便をする状態で、手でもって体を支えるグリップ部(12)を設けており、このグリップ部(12)を手でもって体を支える状態で、便器本体(1)に小便をするようにしてなる洋式便器。
【請求項２】
弁座(2)が、弁座前端部(11)において、下面と周側面との境界を湾曲面とするグリップ部(12)を設けている請求項１に記載される洋式便器。
【請求項３】
弁座(2)が、弁座前端部(11)において、下面と周側面との下縁境界を曲率半径が５ｍｍ以上である湾曲面として、グリップ部(12)を設けている請求項２に記載される洋式便器。
【請求項４】
弁座(2)の厚さが、１５〜３０ｍｍである請求項１に記載される洋式便器。
【請求項５】
上蓋(3)の厚さが、１０〜２０ｍｍである請求項１または４に記載される洋式便器。
【請求項６】
ストッパ機構(4)が水タンク(5)で、上蓋(3)と弁座(2)を立てる姿勢で、上蓋(3)を水タンク(5)に接触させて、上蓋(3)を介して弁座(2)を立てる姿勢に保持する請求項１に記載される洋式便器。
【請求項７】
ストッパ機構(4)が、便器本体(1)の上面に対する弁座(2)の角度を９５〜１１５度とする姿勢で、弁座(2)と上蓋(3)を立てる姿勢に保持する請求項１に記載される洋式便器。
【請求項８】
立てた姿勢の弁座(2)及び上蓋(3)の上端面を水タンク(5)の上面とほぼ同一平面としている請求項６又は７に記載される洋式便器。
【請求項９】
立てた姿勢の弁座(2)及び上蓋(3)の上端面を同一平面として、水タンク(5)の上面よりも低く、あるいは、水タンク(5)の上面よりも高くしている請求項６又は７に記載される洋式便器。
【発明の詳細な説明】
【技術分野】
【０００１】
本発明は、男性が立った姿勢で洋式便器に小便をするときに、小便をこぼさないように体を支えることができる洋式便器に関する。
【背景技術】
【０００２】
腰痛のある男性や老人男性等のように腰や足に十分な力のない男性は、洋式便器で小便をするときに便器からこぼしやすい。それは、垂直に立つ楽な姿勢で小便をすると、こぼれるからである。
【０００３】
ところで、体を支える手摺りを設けた便器は開発されている（特許文献１ないし４参照）。
【特許文献１】特開平９−２６２１９０号公報
【特許文献２】特開２００１−２５２２２２号公報
【特許文献３】特開２００１−２７５８９６号公報
【特許文献４】特開２００２−２９１６５３号公報
【発明の開示】
【発明が解決しようとする課題】
【０００４】
これ等の公報に記載される便器は、弁座の両側に弁座から上方に突出する手摺りを設け、あるいは弁座の両側に、外側方向に張り出すようにして手の支えとなる手摺り部を設けている。この構造の便器は、手摺りを手でもって体を支える状態としながら弁座に座り、あるいは座った姿勢から立ち上がることができる。したがって、足や腰に障害があっても、楽に弁座に座ったり、あるいは立ち上がったりできる。
【０００５】
ただ、従来のこれ等の便器は、立った姿勢で洋式便器に小便をするとき、手摺りを体の支えとしては全く使用できない。それは、手摺りを弁座の両側に配置しているために、片手で手摺りをもって、洋式便器の前方に傾けた体を安定して支えることができないからである。たとえば、左手で弁座の側部にある手摺りをもって体を前方に傾斜させると、体の右側は支えないので、アンバランスになって右側が前方に倒れる状態となり、安定して前方に傾斜させる体を支えることはできない。とくに、腰や足の力が十分でない男性は、この姿勢では到底に体を支えることができない。
【０００６】
また、弁座の側部に手摺りを設けている便器は、一方の手摺りに体を支える強い力が作用すると、弁座自体が横に倒れすやくなる。このため、傾動できる弁座は一方に体重が作用しても、横に倒れない極めて強靭な構造が要求される。弁座は、ほとんどのものが、プラスチックを成形して製作され、さらにその一端部を２個のネジで便器本体に固定している。この取付構造で便器本体に固定されたプラスチック製の弁座は、片側に体重が作用して横に倒れない強靭な構造とするのが現実には極めて難しい。弁座自体の強度と、これを便器本体に固定する強度の両方を体重で横に倒れない構造とする必要があるからである。
【０００７】
本発明は、従来の便器が有するこのような欠点を解決することを目的に開発されたものである。本発明の重要な目的は、極めて簡単な構造で、しかも弁座自体の強度を著しく補強することなく、男性が立って洋式便器に小便するときに、楽に体を支えて漏れない姿勢で小便できる洋式便器を提供することにある。
【課題を解決するための手段】
【０００８】
本発明の洋式便器は、前述の目的を達成するために以下の構成を備える。洋式便器は、便器本体１と、この便器本体１に傾動できるように装着している弁座２と、この弁座２の上面に傾動できるように便器本体１に連結している上蓋３とを備える。さらに、洋式便器は、弁座２と上蓋３を立てる姿勢で停止させるストッパ機構４を備えると共に、弁座２の前端部であって立てる姿勢では最上部となる弁座前端部１１に、弁座２を立てて便器本体１に小便をする状態で、手でもって体を支えるグリップ部１２を設けている。洋式便器は、このグリップ部１２を手でもって体を支える状態で、便器本体１に小便をするようにしている。
【０００９】
本発明の洋式便器は、弁座２の弁座前端部１１に、下面と周側面との境界を湾曲面とするグリップ部１２を設けることができる。さらに、本発明の洋式便器は、弁座２の弁座前端部１１に、下面と周側面との下縁境界を曲率半径が５ｍｍ以上である湾曲面として、グリップ部１２を設けることができる。
【００１０】
本発明の洋式便器は、弁座２の厚さを、１５〜３０ｍｍとすることができる。本発明の洋式便器は、上蓋３の厚さを、１０〜２０ｍｍとすることができる。
【００１１】
本発明の洋式便器は、ストッパ機構４を水タンク５として、上蓋３と弁座２を立てる姿勢で、上蓋３を水タンク５に接触させて、上蓋３を介して弁座２を立てる姿勢に保持することができる。
【００１２】
本発明の洋式便器は、ストッパ機構４が、便器本体１の上面に対する弁座２の角度を９５〜１１５度とする姿勢で、弁座２と上蓋３を立てる姿勢に保持することができる。
【００１３】
本発明の洋式便器は、立てた姿勢の弁座２及び上蓋３の上端面を水タンク５の上面とほぼ同一平面とすることができる。さらに、本発明の洋式便器は、立てた姿勢の弁座２及び上蓋３の上端面を同一平面として、水タンク５の上面よも低くし、あるいは、水タンク５の上面よりも高くすることができる。
【発明の効果】
【００１４】
本発明の洋式便器は、極めて簡単な構造で、弁座自体の強度を著しく補強することもなく、男性が立って洋式便器に小便するときに、楽に体を支えて漏れない姿勢で小便できる特長がある。それは、本発明の洋式便器が、弁座と上蓋を立てる姿勢でストッパ機構で停止すると共に、弁座前端部に手でもって体を支えるグリップ部を設けており、このグリップ部を手でもって体を支える状態で、便器本体に小便するようにしているからである。弁座前端部に設けているグリップ部は、従来の弁座のように、この上に座る状態で、手でもって体を支えるのではない。弁座の上には座らないで、便器本体に小便をする位置に立つ姿勢で、弁座前端部のグリップ部を手でもって体を支えるようにしている。このため、グリップ部を設けるために、弁座に張り出し部を設け、あるいは弁座から上方に突出するように、専用のグリップ部を設ける必要はない。グリップ部は、弁座前端部を手で楽に支えることができる形状、たとえば、最も簡単な構造は、請求項２に記載するように、弁座前端部の下面と周側面との境界を湾曲面として設けることができる。このため、弁座の形状を著しく変更しないで、簡単な構造のグリップ部を設けることも可能である。
【００１５】
弁座前端部に設けたグリップ部が、体の重心に対して左右にずれない本発明の洋式便器は、グリップ部を手でもって体を支える状態で、弁座に横に倒れるアンバランスな力が作用しない。このため、本発明の洋式便器は、従来の弁座のように、弁座を強靭な構造とし、かつ横に倒れないしっかりした構造で便器本体に連結する必要がなく、弁座の構造と、その取付部の構造も簡単にできる。このため、体を支える部分のない現在の弁座と同じ簡単な構造で、弁座を便器本体に連結することも可能である。洋式便器は、弁座を交換できるようにネジで便器本体に固定している。本発明の洋式便器は、弁座を交換できるネジの固定構造と同じ簡単な構造で便器本体に固定することもできる。
【００１６】
さらに、弁座の弁座前端部のグリップ部は、便器本体の左右の中央部分に設けることができる。左右の中央部にあるグリップ部は、ここに手を添えて体を支て前傾させると、体の重心とグリップ部の相対位置が左右にずれることがなく、体を横に倒れないように、安定して楽に支えることができる。このため、体を前傾させる姿勢として、小便を便器本体から漏れない姿勢で楽に小便できる特長がある。
【００１７】
とくに、請求項８に記載する洋式便器は、ストッパ機構に水タンクを使用すると共に、立てた姿勢の弁座と上蓋と水タンクの上面とほぼ同一平面としているので、弁座と上蓋と水タンクとで、グリップ部の実質的な幅を著しく広くして、極めて楽に体を支えることができる。ただ、請求項９に記載するように、弁座と上蓋の上面を同一平面となるように揃えて、弁座と上蓋でグリップ部の幅を広くして楽に体を支える構造とすることもできる。
【発明を実施するための最良の形態】
【００１８】
以下、本発明の実施例を図面に基づいて説明する。ただし、以下に示す実施例は、本発明の技術思想を具体化するための洋式便器を例示するものであって、本発明は洋式便器を以下のものに特定しない。
【００１９】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２０】
図１ないし図３に示す洋式便器は、便器本体１と、この便器本体１に傾動できるように装着している弁座２と、この弁座２の上面に傾動できるように便器本体１に連結している上蓋３と、弁座２と上蓋３を立てる姿勢で停止させるストッパ機構４を備える。
【００２１】
洋式便器である便器本体１は、上方を大きく開口して、後端部（図２と図３において右端部）には、弁座２と上蓋３を連結する連結部１Ａを水平方向に突出して設けている。連結部１Ａは、上下に貫通して固定孔を設けている。
【００２２】
弁座２と上蓋３は、固定台６を介して、便器本体１に傾動できるように固定している。すなわち、弁座２と上蓋３は、固定台６に傾動できるように連結して、固定台６を便器本体１の連結部１Ａにネジ７で固定している。弁座２と上蓋３を固定台６に連結する構造を図３と図４に示す。固定台６は、弁座２と上蓋３を傾動できるように連結する回転軸８を有し、この回転軸８に傾動できるように弁座２と上蓋３を連結している。上蓋３は、回転軸８を連結する連結凸部３Ａを下面に突出して設けており、この連結凸部３Ａに回転軸８を回転できるように挿通する軸孔３Ｂを設けている。弁座２は、回転軸８に連結する連結凸部２Ａを上面に突出して設けており、この連結凸部２Ａに回転軸８を回転できるように挿通する軸孔２Ｂを設けている。
【００２３】
上蓋３は下面に緩衝凸部９を設けている。緩衝凸部９は、プラスチック製の上蓋３と別に製作されたゴム状弾性体の成形品で、上蓋３の下面に接着して固定している。上蓋３は、この緩衝凸部９を弁座２の上面に当接させて、弁座２の上に水平な姿勢で載せられて、弁座２の上をカバーする。上蓋３は弁座２のカバーであるから、弁座２の外形にほぼ等しく、あるいは弁座２よりもわずかに大きい外形にプラスチックを成形して製作される。上面から下面までの厚さで、緩衝凸部９を含まない厚さを１０〜２０ｍｍと、弁座２よりも薄くしている。
【００２４】
弁座２は、上蓋３と同じように、下面に緩衝凸部１０を設けている。この緩衝凸部１０もゴム状弾性体を成形して、プラスチック製の弁座２の下面に接着等の方法で固定している。弁座２は、図１と図５に示すように、便器本体１の上面に載せられる閉鎖された環状、あるいは図６に示すように、前端部を離して便器本体１の上縁に沿う形状に成形している。弁座２は、便器本体１の上面に緩衝凸部１０を当接させて、便器本体１の上に水平な姿勢で載せられる。弁座２は、この上に座って大便をするので、座って十分な強度を有するように、上蓋３よりも厚く、緩衝凸部１０を除く厚さを１５〜３０ｍｍとしている。
【００２５】
さらに、本発明の洋式便器は、弁座２の前端部であって立てる姿勢では最上部となる弁座前端部１１に、弁座２を立てて便器本体１に小便をする状態で、手でもって体を支えるグリップ部１２を設けている。このグリップ部１２を手でもって前傾する姿勢の体を支える状態で、男性が便器本体１に小便をするようにしている。
【００２６】
図２の弁座２は、弁座前端部１１において、下面と周側面との下縁境界を湾曲面としてグリップ部１２を設けている。この構造のグリップ部１２は、下縁境界の曲率半径を５ｍｍ以上の湾曲面とする。下縁境界の曲率半径は、好ましくは１０〜２０ｍｍ、さらに好ましくは、５ｍｍよりも大きく、弁座２の厚さよりも小さくする。また、弁座２は、上面と周側面との境界である上縁境界も湾曲面とする必要がある。弁座２の上に快適に座るためである。上縁境界と下縁境界の両方を湾曲面とする弁座２は、下縁境界の曲率半径を上縁境界の曲率半径よりも大きくして、体重をかけて快適に体を支えることができる。ただし、弁座は、上縁境界と下縁境界を同じ曲率半径として、快適に弁座に座って、小便をするときに体を支えるようにすることもできる。
【００２７】
弁座前端部１１のグリップ部１２は、ここに手を添えて、小便するときの前傾姿勢の体重を支える。このため、図５に示すように、グリップ部１２の長さ（Ｌ）は、手のひらが出ないように、すなわち手のひらの幅よりも大きくして、好ましくは８ｃｍよりも長く、さらに好ましくは１０ｃｍよりも長く、最適には１５ｃｍよりも長くしている。
【００２８】
本発明の洋式便器の弁座２は、好ましくは、図１と図５に示すように閉鎖された環状に成形して、弁座前端部１１にグリップ部１２を設ける。この弁座２は、弁座前端部１１のグリップ部１２に手を添えて、手で前傾する体をバランスよく支えることができる。ただ、本発明の洋式便器は、図６に示すように、弁座前端部１１を離して隙間１３を設けた弁座２にもグリップ部１２を設けることができる。グリップ部１２の隙間１３はできるかぎり狭く、たとえば、１０ｃｍ以下、好ましくは８ｃｍ以下とする。弁座前端部１１に隙間１３を設けている弁座２は、隙間１３の両側部分にグリップ部１２を設ける。この構造の弁座２は、隙間１３が狭いと、隙間１３の両側に設けているグリップ部１２に手を添えて、前傾する体を支えることができる。隙間１３が広い弁座２は、隙間１３の両側に設けている一方の弁座前端部１１のグリップ部１２に手を添えて体を支えることができるように、隙間１３の両方に設けているグリップ部１２の長さを、８ｃｍよりも長く、好ましくは１０ｃｍよりも長く、さらに好ましくは１５ｃｍよりも長くする。また、この形状の弁座２は、立てて停止させる状態で、弁座前端部１１の上面が水平に近くなる形状に成形する。
【００２９】
弁座２は、図７と図８の垂直断面図に示すように、天板１４の下面に底板１５を固定している。弁座２は、図９の横断面図に示すように、天板１４の周囲に周壁１６を設けて上面の両側を湾曲面とし、下方の開口部を閉塞するように底板１５を固定している。この構造の弁座２は、図７の断面図に示すように、天板１４の弁座前端部１１の周壁１６を幅広に成形して下縁境界を湾曲面とする。また、図８に示すように、底板１５に周壁１６を設けて、底板１５の下縁境界を湾曲面とすることもできる。
【００３０】
以上の弁座２は、弁座前端部１１の下縁境界を湾曲面としてグリップ部１２を設けているが、本発明の洋式便器は、グリップ部の形状を湾曲面には特定しない。グリップ部は、下縁境界を湾曲面としないで、この部分を傾斜面として体を支えて手を痛くない形状とすることもできるからである。
【００３１】
図１と図２に示す弁座２と上蓋３は、図１０に示すように、立てた姿勢で上面を同一平面としている。この形状の弁座２と上蓋３は、上面を幅の広い平面にできるので、グリップ部１２の実質的な幅を上蓋３で広げることができる。このため、上蓋３と底板１５の上面に手をあてて、前傾する体を楽に支えることができる。弁座２と上蓋３の上面は、５ｍｍ以下の段差があっても、ほぼ同一面として手を当てて、前傾した体を楽に支えることがることができる。このため、弁座２と上蓋３とは、上下の段差を５ｍｍ以下とするほぼ同一面として、楽に体を支えることができる。
【００３２】
さらに、図１０の洋式便器は、弁座２と上蓋３と水タンク５の上面を同一平面としている。この洋式便器は、弁座２と上蓋３と水タンク５の上に手を添えて前傾する体を支えることができる。このため、上蓋３と水タンク５でもって、弁座２に設けているグリップ部１２の幅を実質的に極めて広くして、とくに楽に手を添えて体を支えることができる。
【００３３】
ただ、立てた姿勢の弁座２と上蓋３の上端面は同一平面とするが、水タンク５の上面は、弁座２と上蓋３の上端面よりも低く、あるいは高くすることができる。この洋式便器は、弁座２と上蓋３の上面をグリップ部１２として、手を添えて前傾する体を支えることができる。
【００３４】
弁座２と上蓋３を立てる姿勢に保持するためにストッパ機構４を設けている。図の洋式便器は、水タンク５をストッパ機構４に併用する。この洋式便器は、上蓋３と弁座２を所定の角度に立てる姿勢で、上蓋３を水タンク５に接触させて、上蓋３を介して弁座２を所定の角度の立てる姿勢に保持する。この構造のストッパ機構４は、弁座２と上蓋３をしっかりと立てる姿勢に保持しながら、構造を簡単にできる。
【００３５】
ただ、本発明の洋式便器は、ストッパ機構を水タンクに特定しない。図示しないが、ストッパ機構は、洋式便器に固定されるストッパ壁とすることもできる。このストッパ壁は、上蓋を所定の角度に立てると、上蓋の上面が当接して、立てた姿勢に保持する。
【００３６】
ストッパ機構４は、便器本体１の上面に対する弁座２の角度（α）を９５〜１１５度とする姿勢で、弁座２と上蓋３を立てる姿勢に保持する。この角度（α）が９０度を越えると、弁座２と上蓋３はそれ自体の自重で倒れないように、ストッパ機構４に保持される。弁座と上蓋を９０度よりも小さい角度でストッパ機構で保持する洋式便器は、摩擦抵抗で弁座と上蓋とを水平な姿勢に倒れないようにする。ただし、摩擦抵抗は、弁座と上蓋を立てた姿勢から水平な姿勢に手で移動できる強さとする。
【図面の簡単な説明】
【００３７】
【図１】本発明の一実施例にかかる洋式便器の斜視図である。
【図２】図１に示す洋式便器の弁座と上蓋を閉じた状態を示す側面図である。
【図３】図２に示す洋式便器の一部断面平面図である。
【図４】図３に示す洋式便器のＡ−Ａ線断面図である。
【図５】図２に示す洋式便器の弁座の底面図である。
【図６】弁座の他の一例を示す底面図である。
【図７】図２に示す洋式便器の弁座の弁座前端部を示す垂直拡大断面図である。
【図８】弁座の弁座前端部の他の一例を示す垂直拡大断面図である。
【図９】図２に示す洋式便器の弁座の横断面図である。
【図１０】図２に示す洋式便器の弁座と上蓋を立てる姿勢で停止させる状態を示す拡大側面図である。
【符号の説明】
【００３８】
１…便器本体            １Ａ…連結部
２…弁座                ２Ａ…連結凸部          ２Ｂ…軸孔
３…上蓋                ３Ａ…連結凸部          ３Ｂ…軸孔
４…ストッパ機構
５…水タンク
６…固定台
７…ネジ
８…回転軸
９…緩衝凸部
１０…緩衝凸部
１１…弁座前端部
１２…グリップ部
１３…隙間
１４…天板
１５…底板
１６…周壁
【図１】
2006043098.tif 000003
【図２】
2006043098.tif 000004
【図３】
2006043098.tif 000005
【図４】
2006043098.tif 000006
【図５】
2006043098.tif 000007
【図６】
2006043098.tif 000008
【図７】
2006043098.tif 000009
【図８】
2006043098.tif 000010
【図９】
2006043098.tif 000011
【図１０】
2006043098.tif 000012